(57)【要約】【課題】用紙上の表記情報を判別不能に印刷する際に、表記情報が浮き出ない様に印刷する印刷装置を提供することである。【解決手段】非読処理が開始されると、文字抽出部１０１は、特定文字の抽出を行い、次に、文字領域決定部１０２は、塗りつぶし対象文字であると判断した文字を塗りつぶすための画像データを重ならないように被せることで判読不能となる領域及び塗りつぶし色を仮に決定する（Ｓ６）。そして、塗りつぶし処理部１０３は、塗りつぶし領域を塗りつぶす塗りつぶし処理を行い（Ｓ１１）、当該処理を終了する。【選択図】図５
2010197550.tif 000002
【特許請求の範囲】
【請求項１】
印刷剤により用紙に印刷を実行する印刷部と、
表記情報が表記されている用紙上の表記情報の縁と、当該表記情報を形成する色と、を抽出する抽出部と、
前記印刷部により、前記縁の表記情報側と反対方向の周りを、前記色と同一色の印刷剤によって前記用紙に印刷するように処理する処理部と、
を備えることを特徴とする印刷装置。
【請求項２】
請求項１に記載の印刷装置において、
前記処理部は、前記縁から表記情報側と反対方向に間隔を空けて前記印刷を実行するように処理することを特徴とする印刷装置。
【請求項３】
請求項２に記載の印刷装置において、
使用者により用紙の上の凹凸の程度を指定可能な指定部を備え、
前記処理部は、前記指定部にて指定された凹凸の程度に応じて、前記間隔の大きさを変更するように処理することを特徴とする印刷装置。
【請求項４】
請求項１から請求項３のいずれか一つに記載の印刷装置において、
前記印刷剤としてのトナーを熱で溶かし用紙に定着させる熱定着部を備え、
前記処理部による表記情報が表記されている用紙への前記印刷の際に、前記熱定着部は、前記処理部による前記印刷ではない前記印刷部による印刷よりも熱定着の温度を高くすることを特徴とする印刷装置。
【発明の詳細な説明】
【技術分野】
【０００１】
本発明は、用紙に印刷を実行可能な印刷装置に関する。
【背景技術】
【０００２】
従来より、印刷媒体に印刷されている文字を判別不能にするために、印刷媒体上の文字から塗りつぶし対象となる文字を抽出し、抽出された塗りつぶし対象となる文字を含む塗りつぶし領域を、画像形成装置の印刷部にて塗りつぶす技術が開示されている。
【先行技術文献】
【特許文献】
【０００３】
【特許文献１】特開２００７−０１０８０９号公報
【発明の概要】
【発明が解決しようとする課題】
【０００４】
上記技術は、用紙（印刷媒体）に表記されている表記情報（文字）を塗りつぶす際に、塗りつぶす対象の表記情報の上にもトナーなどの印刷剤を重ねて塗りつぶす。従って、表記情報の上の領域とそれ以外の領域とで用紙上の性質の異なる領域に、塗りつぶすための印刷剤が印刷されることで表記情報が塗りつぶされる。
【０００５】
この様に、用紙上の性質が異なる領域に印刷が実行されると、それぞれ印刷された領域の印刷品質が異なるために表記情報が浮き出る可能性があり、本来目立たないように塗りつぶしたはずの表記情報が目立ってしまう問題がある。
【０００６】
本発明は上記した課題を解決するためになされた発明であり、その目的とするところは、用紙上の表記情報を判別不能に印刷する際に、表記情報が浮き出ない様に印刷する印刷装置を提供することである。
【課題を解決するための手段】
【０００７】
この目的を達成するために、請求項１に記載の印刷装置は、印刷剤により用紙に印刷を実行する印刷部と、表記情報が表記されている用紙上の表記情報の縁と、当該表記情報を形成する色と、を抽出する抽出部と、前記印刷部により、前記縁の表記情報側と反対方向の周りを、前記色と同一色の印刷剤によって前記用紙に印刷するように処理する処理部と、を備えることを特徴とする。
【０００８】
また、請求項２に記載の印刷装置は、請求項１に記載の印刷装置において、前記処理部は、前記縁から表記情報側と反対方向に間隔を空けて前記印刷を実行するように処理することを特徴とする。
【０００９】
また、請求項３に記載の印刷装置は、請求項２に記載の印刷装置において、使用者により用紙の上の凹凸の程度を指定可能な指定部を備え、前記処理部は、前記指定部にて指定された凹凸の程度に応じて、前記間隔の大きさを変更するように処理することを特徴とする。
【００１０】
また、請求項４に記載の印刷装置は、請求項１から請求項３のいずれか一つに記載の印刷装置において、前記印刷剤としてのトナーを熱で溶かし用紙に定着させる熱定着部を備え、前記処理部による表記情報が表記されている用紙への前記印刷の際に、前記熱定着部は、前記処理部による前記印刷ではない前記印刷部による印刷よりも熱定着の温度を高く
することを特徴とする。
【発明の効果】
【００１１】
＜請求項１の発明＞
用紙上の表記情報の上に重ねて印刷される可能性が低いため、用紙上の表記情報を判別不能に印刷する際に、表記情報が浮き出ない様に印刷することが可能である。
【００１２】
＜請求項２の発明＞
用紙に印刷剤を塗布する際や印刷剤を定着する際に印刷剤が用紙上で滲むなど、予め設定されている印刷領域よりも広がった印刷がなされることがある。従って、印刷の際に縁からの間隔を空けることで、表記情報の上に重ねて印刷がなされる可能性が減るため、印刷剤の広がりを考慮した印刷が可能である。
【００１３】
＜請求項３の発明＞
用紙の上の凹凸の程度により印刷領域の広がる程度が変化する。よって、用紙の凹凸に応じて縁からの間隔を変更することで、用紙の凹凸の程度に応じて印刷剤の広がりを考慮した印刷が可能である。
【００１４】
＜請求項４の発明＞
トナーを高い温度で定着させることで、表記情報と新たに定着するトナーとが馴染むため、表記情報をより判別不能にすることが可能である。
【図面の簡単な説明】
【００１５】
【図１】図１はタンデム型カラープリンタの概略構成を示す模式図である。
【図２】図２はタンデム型カラープリンタ１の概略構成を示すブロック図である。
【図３】図３は塗りつぶし領域の様態を示す図である。
【図４】図４は文書紙の表面の凹凸に応じた塗りつぶし領域の様態を示すである。
【図５】図５非読処理の一例を示すフローチャートである。
【図６】図６は従来と本発明の塗りつぶし様態を比較する図である。
【発明を実施するための最良の形態】
【００１６】
以下、本発明の一実施の形態による印刷装置について図面を参照しながら説明する。図１は、本発明に係る印刷装置の一例であるタンデム型カラープリンタの概略構成を示す模式図である。
【００１７】
図１に示すように、本発明に係る印刷装置の一例であるタンデム型カラープリンタ１は、本発明の用紙としての一例の記録紙１１を収納する給紙部１０と、本発明の表記情報が表記されている用紙としての一例の文書紙８１を載置する文書トレイ８０と、電子写真プロセスにより記録紙１１や文書紙８１上に所定のトナー像を形成する本発明の印刷部の一例としての４つの画像形成部３０Ｃ，３０Ｍ，３０Ｙ，３０Ｋと、このトナー像を記録紙１１や文書紙８１上に定着させる本発明の熱定着部としての一例の定着部４０と、給紙部１０から画像形成部３０Ｃへ記録紙１１や文書紙８１を搬送する用紙搬送部２０と、記録紙１１や文書紙８１を排出する排出部５０と、文書紙８１の文字及び当該文字の色を読み取る読取部７０と、外部メディアＩ／Ｆ（インターフェース）部９０と、表示パネル１２０と、本発明の指定部の一例としての操作パネル１２１とを備えている。
【００１８】
給紙部１０は、給紙カセット１３内に積層載置された記録紙１１の束をフィードローラ２１の回転動作によって１枚ずつ給紙カセット１３の出口側に送り出し、用紙搬送部２０に給紙するようになっている。用紙搬送部２０は、給紙部１０から給紙された記録紙１１を画像形成部３０Ｃ，３０Ｍ，３０Ｙ，３０Ｋに向けて搬送する。
【００１９】
文書トレイ８０は、表記情報が記載された文書紙８１を載置するためのトレイであり、ユーザは、本発明の表記情報の一例としての塗りつぶし対象文字が印刷された文書紙８１を文書トレイ８０にセットする。載置された文書紙８１は、搬送ローラ８２に挟持されつつその駆動により用紙センサ２４に搬送され、搬送されてきた文書紙８１を検知する。
【００２０】
用紙センサ２４により文書紙８１が検知されると、用紙センサ２４の下流側に設置されている読取部７０は、文書紙８１に印刷された文字等及び当該文字等を形成している色を画像データとして読み取る。文書紙８１は、読取部７０を通過した後、用紙搬送部２０により画像形成部３０Ｃ，３０Ｍ，３０Ｙ，３０Ｋに向けて搬送される。
【００２１】
上記４つの画像形成部３０Ｃ，３０Ｍ，３０Ｙ，３０Ｋは、それぞれシアン、マゼンダ、イエロー、ブラックのトナーに応じて設けられており、上流側からシアントナーを有する第１画像形成部３０Ｃ、マゼンダトナーを有する第２画像形成部３０Ｍ、イエロートナーを有する第３画像形成部３０Ｙ、ブラックトナーを有する第４画像形成部３０Ｋが直列に配置されている。
【００２２】
これら第１〜４画像形成部３０Ｃ，３０Ｍ，３０Ｙ，３０Ｋは、それぞれ円筒状の感光体ドラム３１Ｃ，３１Ｍ，３１Ｙ，３１Ｋと、帯電器３２Ｃ，３２Ｍ，３２Ｙ，３２Ｋと、露光器３３Ｃ，３３Ｍ，３３Ｙ，３３Ｋと、現像器３４Ｃ，３４Ｍ，３４Ｙ，３４Ｋと、転写ローラ３５Ｃ，３５Ｍ，３５Ｙ，３５Ｋと、クリーナー３６Ｃ，３６Ｍ，３６Ｙ，３６Ｋとから構成されている。
【００２３】
またこれら第１〜４の感光体ドラム３１Ｃ，３１Ｍ，３１Ｙ，３１Ｋと第１〜４の転写ローラ３５Ｃ，３５Ｍ，３５Ｙ，３５Ｋとにより、一繋がりの用紙搬送ベルト３８が狭持されている。
【００２４】
用紙搬送ベルト３８には、ベルト駆動ローラ６２及びベルト従動ローラ６１が取り付けられており、このベルト駆動ローラ６２及びベルト従動ローラ６１が回転することによって用紙搬送ベルト３８が走行し、用紙搬送ベルト３８上の記録紙１１や文書紙８１を上流側の第１画像形成部３０Ｃから下流側の第４画像形成部３０Ｋに向かって搬送する。なお、上記現像器３４Ｃ，３４Ｍ，３４Ｙ，３４Ｋには、それぞれのトナータンク３９Ｃ，３９Ｍ，３９Ｙ，３９Ｋから本発明の印刷剤の一例であるトナーが適宜供給される。
【００２５】
上記第４画像形成部３０Ｋの下流側には定着部４０が配置される。定着部４０は、画像形成部３０Ｃ，３０Ｍ，３０Ｙ，３０Ｋにおいてトナー像が転写された記録紙１１や文書紙８１を加熱及び加圧し、記録紙１１や文書紙８１上にトナー像を定着させる。
【００２６】
そして、定着部４０を通過した記録紙１１や文書紙８１は、用紙搬送路１５に送られ、排出部５０から排出される。また、図１には図示していないが、タンデム型カラープリンタ１には後述する制御部１００（図２参照）が備えられており、この制御部１００からの指令によって上記各部が制御されている。
【００２７】
表示パネル１２０は、液晶表示パネル等から構成され、液晶パネル上にタンデム型カラープリンタ１の動作状況等を表示する。また、操作パネル１２１は、タッチパネルから構成され、ユーザからの各種の操作が入力可能となっている。
【００２８】
なお、ユーザが操作パネル１２１を操作することにより、表記情報である塗りつぶし対象文字が判別不能となるように塗りつぶす非読処理の開始指示が受け付けられる。そして、非読処理の開始指示が受け付けられると、搬送ローラ８２による文書紙８１の搬送が開
始され、読取部７０は文書紙８１の読み取りを開始する。
【００２９】
外部メディアＩ／Ｆ部９０は、所定データの読込を行うスロットであり、持ち運び可能な可搬記憶媒体であるメモリーカード９１を着脱可能に構成される。メモリーカード９１には、ユーザがコンピュータ等を用いて追加した表記情報を表す特定文字（文字、記号等を含む）が予め記憶されており、外部メディアＩ／Ｆ部９０は、メモリーカード９１に記憶されている特定文字を読み出す。メモリーカード９１として、ＳＤ（Ｓｅｃｕｒｅ  Ｄｉｇｉｔａｌ）メモリーカード等の取り外し可能な各種メモリーカードを用いることができる。
【００３０】
図２は、本発明に係る印刷装置の一例であるタンデム型カラープリンタ１の概略構成を示すブロック図である。本図に示す通り、タンデム型カラープリンタ１は、読取部７０、画像記憶部７１、制御部１００、特定文字記憶部１５１、画像形成部３０、定着部４０、外部メディアＩ／Ｆ部９０、表示パネル１２０、操作パネル１２１、用紙センサ２４、搬送ローラモータ制御部１３０を備えている。
【００３１】
制御部１００は、ＲＯＭ１１１に予め記憶しているタンデム型カラープリンタ１全体の動作プログラムをＣＰＵ等で実行することにより、図２に示した各構成部分を制御する。また、制御部１００は、後述する本発明の抽出部の一例としての文字抽出部１０１，文字領域決定部１０２，本発明の処理部の一例としての塗りつぶし処理部１０３としての働きをする各部を有する。
【００３２】
搬送ローラモータ制御部１３０は、各種ローラの回転駆動を制御する制御部である。搬送ローラモータ制御部１３０は、制御部１００からの指令により搬送ローラ８２及びベルト駆動ローラ６２等を制御し、記録紙１１や文書紙８１を搬送可能である。
【００３３】
読取部７０は、ＣＣＤ（電荷結合素子）等から構成され、搬送されてきた文書紙８１を光学的に読み取り、文書紙８１に印刷された文字等及び当該文字等を形成している色を画像データとして取得する。なお、読み取られた文書紙８１の画像データは、画像記憶部７１に一時的に保存される。
【００３４】
特定文字記憶部１５１には、表記情報となる所定の文字データ（特定文字データ）が予め格納されており、この特定文字データに基づいて表記情報の非読処理が行われる。また、表示パネル１２０、操作パネル１２１、外部メディアＩ／Ｆ部９０、ＰＣ（パーソナルコンピュータ）等を用いて、特定文字記憶部１５１の特定文字データを、書き換え、追加又は削除することが可能である。
【００３５】
すなわち、特定文字記憶部１５１に記憶されていない特定文字以外の文字を塗りつぶし対象文字に設定したい場合、ユーザは直接操作パネル１２１により特定文字を追加して特定文字記憶部１５１に記憶させることができ、次回から入力した文字について再度直接入力する手間を省くことができる。
【００３６】
また、外部メディアＩ／Ｆ部９０は、各種メモリーカード９１に記憶されたデータを読み込むスロットであるため、メモリーカード９１に記憶されている特定文字を読み込むことで、特定文字記憶部１５１に記憶させることが可能である。例えば、追加したい特定文字が多数存在する場合、上記した操作パネル１２１上からの入力では操作が煩雑となるため、予めメモリーカード９１に特定文字を記憶させておき特定文字記憶部１５１に所望の特定文字を追加することができる。
【００３７】
また、制御部１００は、後述する文書紙８１から得られた画像データを基に、特定文字
を検出して非読処理を行うための塗りつぶし領域を決定することが可能である。
【００３８】
制御部１００の文字抽出部１０１は、画像記憶部７１にて記憶した文書紙８１の画像データから文書紙８１上の特定文字である塗りつぶし対象文字を抽出する。すなわち、文字抽出部１０１は、画像データに対して公知の文字認識処理を実行して画像データ内に含まれる文字を認識し、特定文字記憶部１５１に記憶されている特定文字のフォントデータを基に、認識した文字が特定文字であるか否かを判別して画像データ内の特定文字と一致する文字を塗りつぶし対象文字として抽出する。さらに、文字抽出部１０１は、特定文字として抽出した塗りつぶし対象文字の縁及び色を検出する。
【００３９】
制御部１００の文字領域決定部１０２は、文字抽出部１０１によって抽出された特定文字に対し、その特定文字が判読不能になるように塗りつぶすための塗りつぶし領域を決定するとともに、文字抽出部１０１によって検出した色と同一の色を塗りつぶし領域の色として決定する。
【００４０】
塗りつぶし領域としては、塗りつぶし対象文字１文字毎に塗りつぶし領域を決定したり、特定文字が複数の文字及び記号等から構成される場合、又は複数の特定文字が連続する場合、連続する文字列を一纏めにして全体を塗りつぶし可能な領域として決定したりすることができる。
【００４１】
例えば、図３（１）に示す文字列「Ｗｏｒｄ」が文書紙８１に記載され、特定文字記憶部１５１の特定文字として「Ｗ」が設定されている場合において、図３（１）の文字列のうち塗りつぶし対象文字Ｌは「Ｗ」である。したがって、塗りつぶし対象文字Ｌの１文字の全体をその構成単位とした場合、実線で示した領域が塗りつぶし領域Ｒａの範囲として決定される。また、塗りつぶし対象文字が「Ｗ」，「ｏ」，「ｒ」，「ｄ」と連続して存在する場合には、図３（２）のように当該連続した塗りつぶし対象文字Ｌの全体を完全に取り囲む領域を１つの塗りつぶし領域Ｒｂの範囲として決定してもよい。
【００４２】
このとき、塗りつぶし領域は塗りつぶし対象文字Ｌと塗りつぶす領域が重ならないように、塗りつぶし対象文字Ｌの縁から表記情報側とは逆方向の周囲の領域（表記情報を反転した領域）が塗りつぶし領域として決定される。なお、図３（３）は、塗りつぶし領域Ｒｂを示した例である。
【００４３】
制御部１００の塗りつぶし処理部１０３は、文字領域決定部１０２により決定された塗りつぶし領域を文字領域決定部１０２により決定された色で塗りつぶすための画像データを生成し、画像形成部３０Ｙ，３０Ｍ，３０Ｃ，３０Ｋ等を用いて文書紙８１上の特定文字に、塗りつぶすための画像データを重ならないように被せることで、結果的に図３（４）のように特定文字を塗りつぶす。
【００４４】
このとき塗りつぶし処理部１０３は定着部４０の温度を通常に印刷する際よりも高めに設定し、特定文字を塗りつぶす。これは、文書紙８１に確実にトナーを熱定着させるための処理である。トナーの熱定着を確実に行うことで、文書紙８１上の塗りつぶし領域と塗りつぶし対象文字の境が馴染み、より識別不能に特定文字を塗りつぶすことが可能である。
【００４５】
なお、この塗りつぶし領域は塗りつぶし対象文字に対して少し間隔をあけて決定される。これは文書紙８１にトナーによる印刷が実行される際に、塗りつぶし領域よりもトナーがはみ出て印刷されることを考慮してのものである。
【００４６】
また、塗りつぶし領域と塗りつぶし対象文字との間隔は、後述する紙の表面の凹凸具合
の設定情報に基づいて変化する。当該文書紙８１が光沢紙などの表面の滑らかな紙の場合ははがきなど表面のざらついた紙よりも、印刷を実行すると消耗品であるトナーが伸びやすく、設定された塗りつぶし領域よりも広がってしまう。これは、紙の表面の性質によるもので、一般的には表面の凹凸が滑らかな紙は、表面の凹凸が粗い紙に対してトナーが伸びやすいため、印刷領域として設定した領域よりもよりはみ出てしまう。
【００４７】
よって、設定情報が滑らかな紙の場合、図４（１）のように塗りつぶし領域Ｒｂが決定され、設定情報がざらついた紙の場合、図４（２）のように塗りつぶし領域Ｒｂが決定される。なお、図４（３）及び図４（４）は、図４（１）及び図４（２）をそれぞれ塗りつぶし対象文字の「Ｗ」，「ｏ」，「ｒ」，「ｄ」に重ならないように被せたことを示した図である。図４（３）と図（４）を比較すると、明らかに図４（３）に比べ図４（４）の塗りつぶし領域Ｒｂと塗りつぶし対象文字Ｌとの間隔が狭いことが分かる。
【００４８】
次に、上記のように構成されたタンデム型カラープリンタ１による非読処理について図５に示すフローチャートに従って説明する。本処理はユーザが表示パネル１２０及び操作パネル１２１を用いて、当該非読処理の開始を操作したことに応じて、制御部１００によって制御される処理である。
【００４９】
ユーザは非読処理の開始を操作する前に、文書紙８１を文書トレイ８０に載せ、操作パネル１２１を操作して、当該文書紙８１が光沢紙などの表面の滑らかな紙、又ははがきなど表面のざらついた紙かを選択し、予め紙の表面の凹凸具合を設定情報に設定しておく。このとき、文書紙８１を読み取る際に、どのような解像度や明るさで読み取るか等の一般的な設定情報も一緒に設定しておく。その後、非読処理の開始を操作する。
【００５０】
非読処理が開始されると、まず設定情報が読み込まれる（Ｓ１）。次に、制御部１００は、画像データの取得を行う。すなわち、制御部１００は、非読処理の開始指示を受け付けると、搬送ローラモータ制御部１３０を用いて搬送ローラ８０を駆動し、文書紙８１をタンデム型カラープリンタ１内へ搬送させる。このとき、用紙センサ２４が文書紙８１を検出し、読取部７０は、文書紙８１の読込みを開始して文書紙８１全体を画像データとして取り込み、取り込んだ画像データを画像記憶部７１に一旦保存する（Ｓ２）。
【００５１】
次に、文字抽出部１０１は、特定文字の抽出を行う。すなわち、文字抽出部１０１は、画像記憶部７１から文書紙８１の画像データを取り込み、公知の文字認識処理を実行して文書紙８１における文字を認識する。次に、文字抽出部１０１は、認識した文字が特定文字記憶部１５１に記憶している特定文字に一致するか否かを判別し、特定文字であると判断した文字を塗りつぶし対象文字として抽出するとともに、塗りつぶし対象文字の色を検出する（Ｓ３）。
【００５２】
次に、文字抽出部１０１は、文書紙８１の全ての文字に対して特定文字の抽出処理が終了したか否かを判断し（Ｓ４）、抽出処理が終了していない場合はＳ３の抽出処理を繰り返し、抽出処理が終了した場合はステップＳ５へ処理を移行する。
【００５３】
次に、文字抽出部１０１は、特定文字の有無を判断し（Ｓ５）、上記の特定文字の抽出処理を行った結果、文書紙８１内に特定文字が存在していた場合には、Ｓ６へ処理を移行し、文書紙８１内に特定文字が存在していなかった場合には、文字抽出部１０１は、塗りつぶし処理を行わず、文書紙８１をそのままタンデム型カラープリンタ１から排出させて当該処理を終了する。
【００５４】
次に、文字領域決定部１０２は、塗りつぶし領域の仮決定を行う。すなわち、文字領域決定部１０２は、塗りつぶし対象文字であると判断した文字を塗りつぶすための画像デー
タを重ならないように被せることで判読不能となる領域及び塗りつぶし色を仮に決定する（Ｓ６）。
【００５５】
次に、Ｓ１で読み込んだ設定情報から当該文書紙８１が滑らかな紙か否かを判断し（Ｓ７）、滑らかな紙である場合は、図４（１）及び図４（３）のように塗りつぶし領域と塗りつぶし対象文字との間隔を広めに設定し塗りつぶし領域を決定する（Ｓ８）。また、当該文書紙８１が粗い紙である場合は、図４（２）及び図４（４）のように塗りつぶし領域と塗りつぶし対象文字との間隔を狭めに設定し塗りつぶし領域を決定する（Ｓ９）。
【００５６】
次に、塗りつぶし処理部１０３は、定着部４０の温度を通常よりも高く設定し（Ｓ１０）、塗りつぶし領域を塗りつぶす塗りつぶし処理を行い（Ｓ１１）、当該処理を終了する。
【００５７】
すなわち、塗りつぶし処理部１０３は、文字領域決定部１０２により決定された塗りつぶし領域を文字領域決定部１０２により決定された色で塗りつぶすための画像データを生成し、当該画像データを印刷部１６０へ出力して文書紙８１上の塗りつぶし領域を塗りつぶす。このとき、定着温度を高めに設定することで、塗りつぶし領域と塗りつぶし対象文字とが馴染み、塗りつぶし対象文字をより識別不能にすることが可能である。
【００５８】
ここで、図６を参照し、従来文献のように塗りつぶし対象文字の上から重なるように塗りつぶす場合と、本発明のように塗りつぶし対象文字に重ならないように塗りつぶす場合とを比較して説明する。
【００５９】
図６（１）は塗りつぶし対象文字の上から重なるように塗りつぶした場合の文書紙８１の表面を横から示した図である。この場合、塗りつぶし対象文字の上に、塗りつぶすためのトナーが印刷されるため、文書紙８１の塗りつぶし後の領域には凹凸が出来る。この様に印刷がなされると、塗りつぶし対象文字が浮かび上がってしまうため、塗りつぶし対象文字が識別可能となってしまう。
【００６０】
しかしながら、図６（２）のように、塗りつぶし対象文字の上に、塗りつぶすためのトナーが印刷されないようにし、塗りつぶし対象文字の周囲を印刷することで、塗りつぶし対処文字と、塗りつぶし領域が馴染み、塗りつぶし対象文字が識別不能とすることが可能である。
【００６１】
このように、非読処理を行えば、文書紙８１は塗りつぶし対象文字が塗りつぶされてタンデム型カラープリンタ１から排出される。したがって、塗りつぶし対象文字を識別不能にすることが可能である。
【００６２】
なお、本実施の形態では、タンデム型カラープリンタを例として説明したが、これに限定されるものではなく、本発明の非読処理を適用したプリンタ、コピー機、ファクシミリ及びこれらの機能を有する複合機等とすることが可能である。また、本実施の形態では、電子写真式のプリンタを例として説明したが、これに限定されるものではなく、インクジェット方式のプリンタにて本発明を適用することも可能である。
【００６３】
また、本発明では表記情報としての塗りつぶし対象文字を公知の文字認識処理を用いて抽出することで塗りつぶし領域を設定しているが、例えばユーザが直接塗りつぶし領域を指定する形態であっても良い。この場合、一度文書紙８１を読取部７０にて読み取り画像データを作成し、作成した画像データを表示パネル１２０に表示させる。その後、ユーザが操作パネル１２１の操作により、表示パネル１２０に表示された画像データから、塗りつぶし領域を直接指定し、文書紙８１に塗りつぶし処理を実行することも可能である。
【００６４】
また、本発明では表記情報として塗りつぶし対象文字を例として説明したが、これに限定されるものではなく、例えば文字以外の画像を抽出して本発明の非読処理を適用可能である。
【符号の説明】
【００６５】
１    タンデム型カラープリンタ
２４    搬送ローラ
３０    画像形成部
４０    定着部
７０    読取部
７１    画像記憶部
８０    文書トレイ
８１    文書紙
１００    制御部
１０１    文字抽出部
１０２    文字領域決定部
１０３    塗りつぶし処理部
１２０    表示パネル
１２１    操作パネル
【図１】
2010197550.tif 000003
【図２】
2010197550.tif 000004
【図３】
2010197550.tif 000005
【図４】
2010197550.tif 000006
【図５】
2010197550.tif 000007
【図６】
2010197550.tif 000008